(57)【要約】【課題】未知試料のにおいの強度の測定精度を向上させる。【解決手段】標準においとして７種の同系列のにおい質群をそれぞれ代表する物質を選び、においセンサの検出出力で形成される６次元空間内において、各標準においに対応した基準ベクトルＳ１〜Ｓ７を作成し記憶部５３に格納する。また、各におい質群に属する複数のにおいの嗅覚閾値の平均値をそれぞれ計算し記憶部５６に格納する。未知試料の測定時に、標準におい換算濃度算出部５４は６次元におい空間内での測定点と基準ベクトルとの位置関係から各標準におい相当の濃度を求め、平均におい強度算出部５５は各標準におい相当の濃度と平均嗅覚閾値とからにおい強度を算出する。実際の未知においに含まれる成分が、或るにおい質群内で標準においではない他の物質であった場合でも、平均嗅覚閾値を用いているために換算時の誤差が軽減され、総合的に測定結果の信頼性が向上する。【選択図】　図１
2004093336.tif 000002
【特許請求の範囲】
【請求項１】
ａ）異なる応答特性を有するｍ（ｍは２以上の整数）個のにおいセンサと、
ｂ）該ｍ個のにおいセンサによる検出出力で形成されるｍ次元空間において、ｎ種類（ｎは２以上の整数）の既知の標準においの測定結果として位置付けられるｎ個の基準データ又は基準データ群を求める基準データ取得手段と、
ｃ）未知試料の測定結果により前記ｍ次元空間内に位置付けられる測定点と前記基準データ又は基準データ群との関係に基づいて、該未知試料が有する未知においにおける標準におい相当の換算濃度を表す指標値を算出する換算濃度算出手段と、
ｄ）人間の嗅覚の特性を反映した嗅覚閾値又はこれに相当する値を含む演算式に則って、前記換算濃度を表す指標値からにおいの強さの程度を表す指標値を求めるに際し、前記未知においを構成する実際のにおい成分が前記標準においである場合に生じる誤差と、前記標準においに類似はしているもののそれとは異なるものである場合に生じる誤差との差異が小さくなるように修正された演算式又は嗅覚閾値若しくはこれに相当する値を用いた演算を行う強さ指標値算出手段と、
を備えることを特徴とするにおい測定装置。
【請求項２】
前記標準においとして、同系列の複数のにおい物質を集めたにおい質群毎に代表的なにおいを選定することを特徴とする請求項１に記載のにおい測定装置。
【請求項３】
前記に強さ指標値算出手段は、前記標準においが代表しているにおい質群に含まれる複数のにおいの平均嗅覚閾値を用いることにより、換算濃度からにおいの強さの程度を表す指標値を求めることを特徴とする請求項２に記載のにおい測定装置。
【発明の詳細な説明】
【０００１】
【発明の属する技術分野】
本発明は、未知のにおい（香気、臭気など全て含む）がどのような種類のにおいであるのか、及びどの程度の強さのにおいであるのかを測定するにおい測定装置に関する。なお、本発明に係るにおい測定装置は、悪臭測定装置、食品や薬品などの品質検査や品質評価を行う装置など、幅広い分野に適用することが可能である。
【０００２】
【従来の技術】
従来、においの識別や評価は、実際に人間の嗅覚を用いて行われるのが一般的であった。しかしながら、実際に臭いを嗅ぐ人（パネル）の個人差やその日の体調によって嗅覚が変動することを想定する必要があるため、客観的な結果を精度良く得るためには、パネルを一定人数以上確保し、試験場所の環境等にも十分な配慮を必要とする。そのため、手間と時間が膨大なものとなる。また、このような配慮を行っても、人間の嗅覚はにおいに順応するという特性を有しているため、常に一定基準で確定的な判断を下すことは困難であった。
【０００３】
これに対し、近年、においセンサを利用したにおい識別装置が特開平１１−３５２０８８号公報などに開示されるとともに商品化されている（例えば島津製作所製ＦＦ−１など）。このようなにおい識別装置では、複数のにおいセンサにより取得された検出信号を基に、クラスタ分析、主成分分析等の各種多変量解析処理、或いはニューラルネットワークを用いた非線形解析処理などを行って、複数の試料のにおいの離間距離（近い範疇のにおいであるかどうか）を求めることができる。しかしながら、こうしたにおい識別装置では、においセンサの特性上、異なる系列のにおいは比較的識別性が高いものの、例えばエタノール、プロパノール、ブタノールというように同系列のにおいは比較的識別が困難である。
【０００４】
【発明が解決しようとする課題】
一般に、上記のようなにおい識別装置に用いられているにおいセンサの応答感度は、人間の鼻の応答感度とはかなり異なる。そのため、同一のにおい量（或いは濃度）を有する物質であっても、人間の感覚的なにおい強さを表すにおい強度や臭気指数に換算すると、大きく相違する結果が出る場合がある。これは、上記のような、エタノール、プロパノール、ブタノールといった同系列のにおい物質に関しても同様である。すなわち、従来のにおい測定では、こうした同系列のにおい物質の識別性が低い反面、これらを識別し得ないとにおいの程度の指標値の算出精度が大きく劣化する可能性があるという問題点を有している。
【０００５】
本発明はかかる課題を解決するために成されたものであり、その主たる目的とするところは、同系列のにおいに関してはその識別性が或る程度低い場合であっても、においの程度を表すにおい強度や臭気指数などの指標値を高い精度でもって算出することができる、信頼性の高いにおい測定装置を提供することにある。
【０００６】
【課題を解決するための手段】
上記課題を解決するために成された本発明に係るにおい測定装置は、
ａ）異なる応答特性を有するｍ（ｍは２以上の整数）個のにおいセンサと、
ｂ）該ｍ個のにおいセンサによる検出出力で形成されるｍ次元空間において、ｎ種類（ｎは２以上の整数）の既知の標準においの測定結果として位置付けられるｎ個の基準データ又は基準データ群を求める基準データ取得手段と、
ｃ）未知試料の測定結果により前記ｍ次元空間内に位置付けられる測定点と前記基準データ又は基準データ群との関係に基づいて、該未知試料が有する未知においにおける標準におい相当の換算濃度を表す指標値を算出する換算濃度算出手段と、
ｄ）人間の嗅覚の特性を反映した嗅覚閾値又はこれに相当する値を含む演算式に則って、前記換算濃度を表す指標値からにおいの強さの程度を表す指標値を求めるに際し、前記未知においを構成する実際のにおい成分が前記標準においである場合に生じる誤差と、前記標準においに類似はしているもののそれとは異なるものである場合に生じる誤差との差異が小さくなるように修正された演算式又は嗅覚閾値若しくはこれに相当する値を用いた演算を行う強さ指標値算出手段と、
を備えることを特徴としている。
【０００７】
【発明の実施の形態、及び効果】
１個の標準においをｍ個のにおいセンサで測定すると、各においセンサからその強度信号が出力されるため、ｍ個のデータが生成される。これらは数学的には、ｍ次元におい空間における１つの点で表される。この標準においの濃度が相違した複数の標準試料をそれぞれ測定すると、その濃度変化に伴ってにおい空間での点が或る方向に移動するから、その点を繋ぐ１本のベクトルを考えることができる。このにおいベクトルは、そのにおいの種類に特有な向きを有する。本発明に係るにおい測定装置において、基準データ取得手段は標準におい毎に、例えばこうしたにおいベクトルを構成するデータを基準データ群として取得する。
【０００８】
一方、未知試料の測定結果は、上述したような基準においベクトルが形成されたｍ次元空間内に、或る１点（測定点）として位置付けられる。従って、その測定点と基準においベクトルとの位置関係や、未知試料の濃度を変えて測定することによって得られる未知においベクトルの向きと基準においベクトルの向きとの関係などに応じて、その未知においと標準においとの類似性を判断することができる。さらに、基準においベクトル上の各点の位置はにおい成分の濃度に対応しているから、測定点から最短の距離を与える該基準においベクトル上の点の位置などから、未知においにおける標準におい相当の換算濃度を得ることができる。上記換算濃度算出手段は、未知においが既知の標準においの合成臭であると仮定し、上記のようにして各標準におい毎に換算濃度を算出する。
【０００９】
もちろん、この際、ｎ種類全ての標準においが使用されるとは限らず、ｎ種類以下の標準においであれば構わない。但し、始めから或る系列を代表するようなにおいが欠けていると好ましくないため、標準においとしては、同系列の複数のにおい物質を集めたにおい質群毎に代表的なにおいを選定しておくことが望ましい。
【００１０】
次いで、強さ指標値算出手段は、人間の嗅覚の特性を反映した嗅覚閾値又はこれに相当する値を含む演算式に則って、上記換算濃度から例えばにおい強度、臭気指数などのにおいの強さの程度を表す指標値を算出する。嗅覚閾値とは、人間が感知できる最小のにおい強度を表す数値である。一実施態様としては、この嗅覚閾値を用いた演算式により換算濃度からにおい強度を求めることができる。嗅覚閾値は物質毎に異なるから、上記のような換算を行う場合に標準においの嗅覚閾値を用いることが考えられる。しかしながら、未知においは標準においの合成臭であるとの仮定をたてたものの、実際には、未知においを構成しているにおい成分はその標準においと同系列ではあっても異なる物質である場合もあり得る。その場合、その物質の嗅覚閾値が標準においの嗅覚閾値からかけ離れるほど、におい強度の誤差が大きくなる。
【００１１】
そこで、本発明に係るにおい測定装置において、強さ指標値算出手段は、未知においを構成する実際のにおい成分が標準においである場合に生じる誤差と、その標準においに類似はしているもののそれとは異なるものである場合に生じる誤差との差異ができるだけ小さくなるように、例えば換算のための演算式に含まれる嗅覚閾値の値を適宜に修正する。具体的には、例えば標準においの嗅覚閾値を用いる代わりに、その標準においが属する系列のにおい質群に属する複数のにおいの嗅覚閾値の平均値を使用する。その場合、未知においを構成するにおい成分が標準においであったとしても、算出されたにおい強度は誤差を含むことになるが、その反面、未知においを構成するにおい成分が、標準においの嗅覚閾値と大きく異なる嗅覚閾値を持つ物質であったとしても、におい強度の誤差は相対的に小さくて済む。
【００１２】
従って、本発明に係るにおい測定装置によれば、におい量や濃度からにおい強度などのにおいの強さの程度を示す指標値を算出する際に生じる可能性のある誤差の最大値が抑制されるので、においの強さの程度を表す指標値の信頼性が高まり、総合的に測定精度が向上する。
【００１３】
【実施例】
以下、本発明の一実施例であるにおい測定装置について、図面を参照しつつ説明する。図１は本実施例によるにおい測定装置のブロック構成図である。
【００１４】
本実施例のにおい測定装置は、試料を吸引するための吸入口１、吸引した試料に前処理を施す前処理部２、未知試料又は標準におい成分を含む標準試料を測定するための、応答特性が異なる複数（この例では６個）のにおいセンサ３１〜３６を備えたセンサセル３、未知試料又は標準試料をセンサセル３に引き込むためのポンプ４、においセンサ３１〜３６による検出信号を解析処理する信号処理部５、解析処理の出力をディスプレイ画面上に表示する表示部６、本装置全体の動作を制御する制御部７、等から構成される。
【００１５】
前処理部２では、試料に含まれる水分の除去、試料の濃縮／希釈、妨害ガスの除去等が行われる。においセンサ３１〜３６は、例えばにおい成分に応じて抵抗値が変化する酸化物半導体センサであるが、導電性高分子センサや、水晶振動子やＳＡＷデバイスの表面にガス吸着膜を形成したセンサなど、他の検出手法によるセンサでもよい。信号処理部５（及び制御部７）はパーソナルコンピュータを中心に構成され、該コンピュータ上で所定のプログラムを実行することにより、ピーク抽出部５１、ベクトル演算部５２、基準ベクトル記憶部５３、標準におい換算濃度算出部５４、平均におい強度算出部５５、平均嗅覚閾値記憶部５６等として機能する。
【００１６】
次いで、本実施例のにおい測定装置による測定手順を説明する。本におい測定装置では、予め複数種類のにおい成分をそれぞれ単独で含む標準試料を測定して基準データとして保持しておく。標準試料は、例えばボンベ（気体）、液体、固体から発生する原料ガスを混合・希釈することにより調製される。原料ガスは、常温でガスのものについてはガスボンベに封入しておき、一定量を取り出して使用すればよい。液体の場合はガラス容器等に入れ、所定温度に保ったり窒素ガスをバブリングしたりすることによりにおいを発生させればよい。また、固体のものは、所定温度に保つことによりにおいを発生させればよい。
【００１７】
ここでは、標準においとしてトルエン、ブタノール、酢酸エチル、トリメチルアミン、メチルメルカプタン、酪酸，ブチルアルデヒドの７種類を使用する。これらはそれぞれ同系列のにおい質群を代表するものとして選定され、トルエンは芳香族系の代表、ブタノールはアルコール系の代表、酢酸エチルはエステル系の代表、トリメチルアミンはアミン系の代表、メチルメルカプタンは硫黄系の代表、酪酸は有機酸系の代表、ブチルアルデヒドはアルデヒド系の代表である。但し、これは一例であって、各におい質群における標準においはこれに限定されるものではなく、またにおい質群もこれに限定されるものではない。
【００１８】
上記７種類の標準においについて、それぞれ濃度を変えて調製した標準試料を吸入口１に供給し、ポンプ４を作動させることにより該標準試料をセンサセル３に引き込む。センサセル３に導入された標準試料がにおいセンサ３１〜３６に接触すると、各においセンサ３１〜３６からそれぞれ異なる検出信号が並列に出力される。信号処理部５においてピーク抽出部５１は、１系統の出力信号の時間的変動の中で極大点（ピークトップ）を捉え、各においセンサ３１〜３６毎に１つずつの検出信号を得る。もちろん、ピークトップを検出信号とするほかに、例えばピーク面積を用いる等、適宜に変形を行うことができる。従って、ピーク抽出部５１では、１個の標準試料に対して全部で６個の測定データＤＳ１，ＤＳ２，ＤＳ３，ＤＳ４，ＤＳ５，ＤＳ６が得られる。６個のにおいセンサ３１〜３６による検出信号をそれぞれ異なる方向の軸として形成される６次元におい空間を考えると、上記６個の測定データはにおい空間内の或る１点（ＤＳ１，ＤＳ２，ＤＳ３，ＤＳ４，ＤＳ５，ＤＳ６）で表すことができる。
【００１９】
濃度の相違する同一標準においを含む標準試料による測定点は、上記６次元におい空間において濃度変化に応じて移動するから、ベクトル演算部５２は同一標準においに対して取得された複数の測定点に基づいて１本のにおいベクトルを算出する。そして、上記７種類の標準においを測定することにより、７本のにおいベクトルＳ１〜Ｓ７を算出し、そのにおいベクトルを表現するデータを基準ベクトル記憶部５３に格納する。この基準ベクトル記憶部５３に格納されるデータが、未知試料に含まれるにおいの性質や強度などを推算する際の基準データである。
【００２０】
６次元空間を図示するのは難しいので、ここでは理解を容易にするために、図２に示すような、第１、第２なる２個のにおいセンサの検出信号ＤＳ１，ＤＳ２により形成される２次元のにおい空間で考えることとする。この２次元空間内において、或る１個の標準試料に対する第１、第２においセンサによる２個の測定データは、或る１点（ＤＳ１，ＤＳ２）で表され、１つの標準においの測定結果により作成される１本の基準においベクトルは、例えば図２に示すように位置付けられることになる。
【００２１】
測定対象である未知試料を測定する際には、吸入口１に該未知試料を供給し、ポンプ４を作動させて未知試料をセンサセル３に引き込む。このとき６個のにおいセンサ３１〜３６による出力信号は上述したようにピーク抽出部５１に与えられ、各においセンサ３１〜３６毎に１つずつの検出信号が得られ標準におい換算濃度算出部５４へと入力される。
【００２２】
未知試料に含まれるにおい、つまり未知においの成分は不明であるが、その性質を推算する仮定として、上記７種類の標準においのうちの１種類以上のにおいの合成臭であると仮定する。そして、その仮定の下で、基準ベクトル記憶部５３に格納されている７本の基準においベクトルＳ１〜Ｓ７を利用し、その未知においを構成する各標準におい相当の換算量（換算濃度）を算出する。具体的には、例えば次のような方法により換算濃度を算出する。
【００２３】
説明を簡単にするために、図２に示す２次元におい空間で説明する。まず、測定点Ｐから第１基準においベクトルＳ１への距離が最短となるような該ベクトルＳ１上の点Ｑ１を探索する。第１基準においベクトルＳ１上の各点は第１標準においの濃度に対応付けられるから、上記点Ｑ１の位置に基づいて、その未知においにおける第１標準におい相当の仮の濃度を求めることができる。また、測定点Ｐと点Ｑ１との最短距離ｄ１が短いほど未知においと第１標準においとの類似性が高いと看做すことができるから、その距離ｄ１に応じて上記のように求まった第１標準におい相当の仮の濃度を補正し、第１標準におい相当の濃度として定める。
【００２４】
なお、未知試料の測定結果から第１標準におい相当の濃度を求める方法はこれに限るものではなく、各種の方法によることができる。他の一例としては、未知試料の濃度を変えて測定することにより、基準においベクトルと同様に未知試料に対する未知においベクトルをにおい空間内に作成し、その未知においベクトルと第１基準においベクトルとの成す角度や、未知においベクトルを第１基準においベクトル上に正射影してできるベクトルの長さなどに基づいて第１標準におい相当の濃度を算出するようにしてもよい。
【００２５】
また、各においセンサ３１〜３６において、におい成分の濃度とその検出出力との関係が線形である場合には、においベクトルは図２に示したように直線形状となるが、におい成分の濃度と検出出力との関係が非線形である場合には、においベクトルは６次元（又は２次元）におい空間内で図３に示すように曲線形状となる。しかし、その場合でも、上記趣旨に基づき、測定点Ｐから第１基準においベクトルＳ１への距離が最短となるような該ベクトルＳ１上の点Ｑ１を見つければよいことは同様である。
【００２６】
本におい測定装置において、図４に模擬的に示すように、実際には６次元におい空間内に７本の基準においベクトルＳ１〜Ｓ７が存在するから、標準におい換算濃度算出部５４は、測定点Ｐから各基準においベクトルＳ１〜Ｓ７への距離が最短となるようなベクトルＳ１〜Ｓ７上の点Ｑ１〜Ｑ７をそれぞれ探索する。そして、測定点Ｐとそれら点Ｑ１〜Ｑ７との距離ｄ１〜ｄ７を求め、点Ｑ１〜Ｑ７の位置に応じた濃度と距離ｄ１〜ｄ７とから各標準におい相当の濃度Ｃ１〜Ｃ７を算出する。但し、上述したように標準においは各におい質群の代表であって、未知においを構成している実際のにおい成分は標準においそのものであるとは限らないから、あくまでも標準においの合成臭であると仮定した場合の換算量にすぎない。
【００２７】
次に、においセンサ３１〜３６と人間の嗅覚との応答感度の相違を考慮して、上記においの換算濃度をにおい強度に変換する。すなわち、濃度が同一のにおいであっても、人間の嗅覚閾値が低いにおいであるほど人間は強いにおいであると感じる。そこで、一般には、各標準においに対する嗅覚閾値を用いれば、上記で求めたにおい濃度をにおい強度に変換することができる。すなわち、第ｉ標準におい（ｉ＝１〜７）に対する嗅覚閾値ＴＨｉ［ｐｐｍ］を用いると、第ｉ標準においの強度は濃度Ｃｉ［ｐｐｍ］から次の（１）式で求めることができる。
Ｉｉ＝１０Ｌｏｇ（Ｃｉ／ＴＨｉ）　　　…（１）
【００２８】
しかしながら、上述したように、未知においを構成している実際のにおい成分は必ずしも上記７種類の標準においであるとは限らず、たとえ同じにおい質群に属するにおいであっても、そのにおい質群を代表している標準においと異なる物質である場合には、嗅覚閾値の差によってにおい強度に誤差が生じることがある。一例を挙げると、トルエンとｐ−キシレンとはともに同じにおい質群である芳香族系に属するが、トルエンの嗅覚閾値は０．３３［ｐｐｍ］であり、ｐ−キシレンの嗅覚閾値は０．０４１［ｐｐｍ］と大きく異なる。（なお、これら嗅覚閾値の数値は、永田、竹内「三点式臭袋法による臭気物質の閾値測定結果」第２９回大気汚染学会講演会要旨集５２８、１９９８年による。）
【００２９】
いま、未知においのトルエン換算量として得られた濃度が１０［ｐｐｍ］であったとすると、トルエンの嗅覚閾値を用いた場合にはにおい強度は１５となるが、ｐ−キシレンの嗅覚閾値を用いた場合にはにおい強度は２４となる。従って、トルエンであると仮定して濃度を算出しトルエンの嗅覚閾値を用いてにおい強度に変換したときに、未知においを構成する成分がトルエンであった場合には問題がない（誤差はゼロ）が、実際にはトルエンではなくｐ−キシレンのみであったとするとにおい強度には９の誤差が生じることとなる。
【００３０】
本実施例のにおい測定装置では、におい濃度からにおい強度を算出する際に、標準においの嗅覚閾値をそのまま用いるのではなく、同じにおい質群に属する複数のにおい成分の嗅覚閾値の平均値を利用する。例えば、芳香族系に属するトルエンとｐ−キシレンの平均の嗅覚閾値ＴＨａｖを次のように決める。
ＴＨａｖ＝１０（Ｌｏｇ（０．３３）＋Ｌｏｇ（０．０４１）＋１）＝０．１３５３
【００３１】
上述したように未知においのトルエン換算量として得られた濃度が１０［ｐｐｍ］であった場合、この平均嗅覚閾値ＴＨａｖを用いて（１）式によりにおい強度を求めると、におい強度は１９となる。つまり、そのにおい成分が実際にトルエンであった場合のにおい強度の誤差は４、他方、そのにおい成分が実際にはｐ−キシレンであった場合のにおい強度の誤差は５となる。従って、におい強度の最大誤差は上記の場合の９よりも小さくなり、結果的に、算出されたにおい強度の値の信頼性が向上することになる。
【００３２】
一般的には、嗅覚閾値の平均値を求める際には、同じにおい質群に属するにおいの種類を多くしておくことが好ましい。いま、或るにおい質群に属するにおいをｋ種類とすると、平均嗅覚閾値ＴＨａｖは次の（２）式で求めることができる。
ＴＨａｖ＝１０（Σ　Ｌｏｇ（ＴＨｋ）＋１）　　　…（２）
【００３３】
このような計算式に基づき、７種類の各におい質群毎に平均嗅覚閾値を求めておき、予め平均嗅覚閾値記憶部５６に格納しておく。そして、未知試料の測定時に、平均におい強度算出部５５は標準におい換算濃度算出部５４から最大７個の標準におい相当の濃度を受け取ると、平均嗅覚閾値記憶部５６から各におい質群毎の平均嗅覚閾値を読み出し、上記（１）式に基づいて換算濃度からにおい強度を算出する。また、これら各におい質群毎のにおい強度を合計したものが、未知試料のにおい強度となる。そして、各におい質群毎の平均におい強度の値やトータルのにおい強度を表示部６に出力して、画面上に表示させる。
【００３４】
なお、例えば未知においを構成するにおい成分が完全には判っていなくても、同じにおい質群の中でその物質の候補を絞ることができる場合には、平均嗅覚閾値を算出する際にいくつかのにおいを適宜選択して平均嗅覚閾値を算出するほうが、より精度を向上させることができる。従って、そうした処理を行う場合には、平均嗅覚閾値を予め算出して記憶させておくのではなく、各におい質群で複数のにおいの嗅覚閾値を記憶させておき、その中から適宜のにおいを選択して平均嗅覚閾値を計算する機能を持たせるようにするとよい。
【００３５】
また、上記実施例はいずれも本発明の一例であって、本発明の趣旨の範囲で適宜変更や修正を加えることができることは明らかである。例えば、上記実施例はにおい強度を求める場合の例であるが、におい濃度から、におい強度以外の臭気指数等、いわゆる臭さ度合いを表す指標値に換算するものであって、その換算のための基準（上記例では嗅覚閾値）が同一におい質群内でも一定でないような場合に本発明が適用可能であることは明らかである。
【図面の簡単な説明】
【図１】本発明の一実施例によるにおい測定装置のブロック構成図。
【図２】本実施例のにおい測定装置における濃度の算出原理の説明図。
【図３】本実施例のにおい測定装置における濃度の算出原理の説明図。
【図４】本実施例のにおい測定装置におけるにおい濃度の算出方法の一例の説明図。
【符号の説明】
１…吸入口
２…前処理部
３…センサセル
３１〜３６…においセンサ
４…ポンプ
５…信号処理部
５１…ピーク抽出部
５２…ベクトル演算部
５３…基準ベクトル記憶部
５４…換算濃度算出部
５５…平均におい強度算出部
５６…平均嗅覚閾値記憶部
６…表示部
７…制御部
【図１】
2004093336.tif 000003
【図２】
2004093336.tif 000004
【図３】
2004093336.tif 000005
【図４】
2004093336.tif 000006